(57)【特許請求の範囲】
【請求項１】
媒体を支持し、移動方向に移動可能な支持部と、
前記移動方向と交差する交差方向に往復移動する構成、又は、前記交差方向に複数のノズルが形成されたラインヘッドの構成であり、前記媒体に記録を実行可能な記録部と、
前記移動方向における任意の位置に前記支持部を移動させる移動操作を受け付ける移動操作部と、を備え、
前記移動操作部が受け付ける前記移動操作の継続時間に応じて、前記支持部の移動速度を変更可能であることを特徴とする記録装置。
【請求項２】
請求項１に記載の記録装置において、
前記移動操作部は、前記記録部によって記録が実行されていないときに、前記移動操作を受け付けることを特徴とする記録装置。
【請求項３】
請求項１又は２に記載の記録装置において、
前記移動操作部は、前記記録部によって記録が実行されているときに、前記移動操作を受け付けないことを特徴とする記録装置。
【請求項４】
請求項１から３のいずれか１項に記載の記録装置において、
前記移動操作部は、前記記録装置を平面視した場合に、視認可能な面に形成されることを特徴とする記録装置。
【請求項５】
請求項１から４のいずれか１項に記載の記録装置において、
記録に関する各種操作を受け付ける操作パネルを備え、
前記移動操作部は、前記操作パネル近傍に配置されることを特徴とする記録装置。
【請求項６】
請求項１から５のいずれか１項に記載の記録装置において、
前記移動操作部は、前記支持部への前記媒体のセット位置近傍に配置されることを特徴とする記録装置。
【請求項７】
請求項１から３のいずれか１項に記載の記録装置において、
前記移動操作部は、前記記録装置から離間した状態で前記移動操作を受け付け可能であることを特徴とする記録装置。
【請求項８】
媒体を支持し、移動方向に移動可能な支持部と、前記移動方向と交差する交差方向に往復移動する構成、又は、前記交差方向に複数のノズルが形成されたラインヘッドの構成であり、前記媒体に記録を実行可能な記録部と、を備える記録装置における前記支持部の移動方法であって、
前記移動方向における任意の位置に前記支持部を移動させる移動操作を受け付ける移動操作部によって、前記移動方向における任意の位置に前記支持部を移動させ、
前記移動操作部が受け付ける前記移動操作の継続時間に応じて、前記支持部の移動速度が変更可能とされることを特徴とする移動方法。
【発明の詳細な説明】
【技術分野】
【０００１】
本発明は、記録装置及び移動方法に関する。
【背景技術】
【０００２】
従来から、移動方向に移動可能な支持部に媒体を支持させ、支持部に支持された媒体に記録を行う記録装置が使用されている。  
例えば、特許文献１には、支持部としてのプラテンの移動操作を受け付け可能なプラテン送りボタンを備え、該プラテン送りボタンを押すことで媒体としてのＴシャツなどの布帛をセット位置に移動させることが可能な布帛印刷装置（記録装置）が開示されている。
【先行技術文献】
【特許文献】
【０００３】
【特許文献１】特開２００７−２２３０７４号公報
【発明の概要】
【発明が解決しようとする課題】
【０００４】
移動方向に移動可能な支持部を備える記録装置において、該支持部を任意の位置に移動することができると利便性が向上する。例えば、記録を実行する前に媒体と記録部との位置関係（間隔など）を確認するために支持部を任意の位置に移動させたい場合や、記録部の記録状態を確認するために記録位置を任意に変更しながらチェックパターンを記録する場合などに、支持部を任意の位置に移動させることができると便利である。  
しかしながら、移動方向に移動可能な支持部を備える従来の記録装置においては、該支持部を任意の位置に簡単に移動することができる構成になっていなかった。このため、支持部を任意の位置に移動するためには、ユーザーが電源オフ時に手動で支持部の位置を変更させる必要があり、ユーザーに負荷を与えるとともに、支持部の移動機構に逆起電力を発生させるなどして装置に負担をかける場合があった。
【０００５】
そこで、本発明の目的は、移動方向に移動可能な支持部を任意の位置に簡単に移動することを目的にする。
【課題を解決するための手段】
【０００６】
上記課題を解決するための本発明の第１の態様の記録装置は、媒体に記録を実行可能な記録部と、前記媒体を支持し、移動方向に移動可能な支持部と、前記移動方向における任意の位置に前記支持部を移動させる移動操作を受け付ける移動操作部と、を備えることを特徴とする。
【０００７】
本発明の第２の態様の記録装置は、前記第１又は第２の態様において、前記移動操作部は、前記記録部によって記録が実行されていないときに、前記移動操作を受け付けることを特徴とする。
【０００８】
本発明の第３の態様の記録装置は、前記第１の態様において、前記移動操作部は、前記記録部によって記録が実行されているときに、前記移動操作を受け付けないことを特徴とする。
【０００９】
本発明の第４の態様の記録装置は、前記第１から第３のいずれか１つの態様において、前記移動操作部が受け付ける前記移動操作の継続時間に応じて、前記支持部の移動速度を変更可能であることを特徴とする。
【００１０】
本発明の第５の態様の記録装置は、前記第１から第４のいずれか１つの態様において、前記移動操作部は、前記記録装置を平面視した場合に、視認可能な面に形成されることを特徴とする。
【００１１】
本発明の第６の態様の記録装置は、前記第１から第５のいずれか１つの態様において、記録に関する各種操作を受け付ける操作パネルを備え、前記移動操作部は、前記操作パネル近傍に配置されることを特徴とする。
【００１２】
本発明の第７の態様の記録装置は、前記第１から第６のいずれか１つの態様において、前記移動操作部は、前記支持部への前記媒体のセット位置近傍に配置されることを特徴とする。
【００１３】
本発明の第８の態様の記録装置は、前記第１から第４のいずれか１つの態様において、前記移動操作部は、前記記録装置から離間した状態で前記移動操作を受け付け可能であることを特徴とする。
【００１４】
本発明の第９の態様の移動方法は、媒体に記録を実行可能な記録部と、前記媒体を支持し、移動方向に移動可能な支持部と、を備える記録装置における前記支持部の移動方法であって、移動操作部によって、前記移動方向における任意の位置に前記支持部を移動させることを特徴とする。
【発明の効果】
【００１５】
本発明によれば、移動方向に移動可能な支持部を任意の位置に簡単に移動することができる。
【図面の簡単な説明】
【００１６】
【図１】本発明の実施例１に係る記録装置の概略斜視図。
【図２】本発明の実施例１に係る記録装置の概略斜視図。
【図３】本発明の実施例１に係る記録装置の概略正面図。
【図４】本発明の実施例１に係る記録装置の要部を表す概略斜視図。
【図５】本発明の実施例１に係る記録装置のブロック図。
【図６】本発明の実施例１に係る記録装置の支持部の移動速度を表すグラフ。
【図７】本発明の実施例２に係る記録装置の概略斜視図。
【図８】本発明の実施例２に係る記録装置の要部を表す概略斜視図。
【図９】本発明の実施例３に係る記録装置の要部を表す概略図。
【発明を実施するための形態】
【００１７】
以下に、本発明の実施例に係る記録装置について、添付図面を参照して詳細に説明する。  
［実施例１］（図１〜図６）  
最初に、本発明の実施例１に係る記録装置について説明する。  
図１及び図２は本発明の実施例１に係る記録装置１の概略斜視図であり、このうち図１は本実施例の記録装置１の支持部としてのトレイ４が記録開始位置にある状態、図２はトレイ４が媒体のセット位置にある状態を表している。  
また、図３は、本実施例の記録装置１の概略正面図である。  
そして、図４は、本実施例の記録装置１の要部である操作パネル１９を記録装置１の正面側上方から見た概略斜視図である。
【００１８】
本実施例の記録装置１は、媒体を支持した状態で移動方向Ａに移動する媒体支持ユニット２を備えている。媒体支持ユニット２は、媒体の支持部であるトレイ４を有している。記録装置１は、トレイ４に支持された媒体を移動方向Ａに搬送する媒体搬送部３を備えている。また、トレイ４はステージ５に載置されている。トレイ４はステージ５と共に、回転レバー２０を回転させることにより、高さ方向Ｃに移動する。
【００１９】
また、記録装置１の本体内部にはインクを吐出して媒体に記録することが可能な記録ヘッド７が備えられている。本実施例において、記録ヘッド７は、媒体に記録を実行可能な記録部に相当する。そして、本実施例の記録装置１は、記録ヘッド７が設けられたキャリッジ６を移動方向Ａと交差する交差方向Ｂに往復移動させることで、記録ヘッド７を交差方向Ｂに往復移動させながら、記録ヘッド７からトレイ４に支持された媒体にインクを吐出させて所望の画像を形成する。なお、本実施例の記録装置１は、図１及び図２中の手前側（左下方向）がトレイ４への媒体のセット位置（図２に対応）であり、図１及び図２中の奥側（右上方向）の記録開始位置（図１に対応）まで媒体をセットしたトレイ４を移動した後、手前側にトレイ４を移動しながら記録する。
【００２０】
なお、本実施例の記録装置１は、交差方向Ｂに往復移動しながら記録する記録ヘッド７を備えているが、インクを吐出するノズルを移動方向Ａと交差する交差方向Ｂに複数設けた所謂ラインヘッドを備える記録装置でもよい。  
ここで、「ラインヘッド」とは、媒体の移動方向Ａと交差する交差方向Ｂに形成されたノズルの領域が、媒体の交差方向Ｂ全体をカバー可能なように設けられ、記録ヘッド又は媒体を相対的に移動させて画像を形成する記録装置に用いられる記録ヘッドである。なお、ラインヘッドの交差方向Ｂのノズルの領域は、記録装置が対応している全ての媒体の交差方向Ｂ全体をカバー可能でなくてもよい。  
また、本実施例の記録ヘッド７は、媒体にインクを吐出することで記録を実行可能な記録部であるが、このような記録部に限定されず、例えば、色材を媒体に転写して記録する転写式の記録部を使用してもよい。
【００２１】
また、本実施例の記録装置１は、図３で表されるように、センサーＳを備えており、トレイ４に支持される媒体と記録ヘッド７との間隔の異常（媒体と記録ヘッド７との間隔が狭すぎること）の有無を検出することができる構成になっている。  
ここで、センサーＳは、発光部Ｓｅと受光部Ｓｒとを有している。そして、センサーＳは、発光部Ｓｅから受光部Ｓｒに向けて光を照射し、受光部Ｓｒで該光を受光したか否かに基づいて、間隔の異常の有無を検出する構成である。ただし、このような構成に限定はない。
【００２２】
また、本実施例の記録装置１は、記録に関する各種操作を受け付ける操作パネル１９を備えている。  
操作パネル１９には、図４で表されるように、記録に関する各種操作を入力可能な操作ボタン２３（電源のオン・オフボタン２３ａ及び各種指示入力ボタン２３ｂ）と、トレイ４を移動させる移動操作を受け付ける移動操作部Ｏとしての移動ボタンＯ１及びＯ２を備えている。移動ボタンＯ１及びＯ２に基づくトレイ４の移動については後述する。
【００２３】
このように、本実施例の記録装置１は、媒体に記録を実行可能な記録部としての記録ヘッド７と、媒体を支持し移動方向Ａに移動可能な支持部としてのトレイ４と、を備えている。  
そして、移動方向Ａにおける任意の位置にトレイ４を移動させる移動操作を受け付ける移動操作部Ｏを備えている。別の表現をすると、移動操作部Ｏによって、移動方向Ａにおける任意の位置にトレイ４を移動させる。  
このため、移動操作部Ｏを操作することにより、トレイ４を任意の位置に簡単に移動することができる。
【００２４】
また、図１から図４で表されるように、本実施例の移動操作部Ｏは、操作パネル１９における、記録装置１を平面視した場合に視認可能な面に形成されている。また、トレイ４の移動方向Ａに沿う移動経路を平面視した場合に視認可能な面に形成されているとも言える。  
このため、移動方向Ａにおける任意の位置にトレイ４を移動させる移動操作を簡単に実行できる。また、本実施例のようにトレイ４の移動方向Ａに沿う配置に形成されるボタン（移動ボタンＯ１及びＯ２）や、トレイ４の移動方向Ａに沿って操作（移動）するレバーなどで、記録装置１を平面視した場合に視認可能な面に、トレイ４の移動操作部Ｏを構成することによって、該移動操作部Ｏの操作を直感的に把握することができる。これは、移動操作部Ｏをユーザーが上から見下ろせることで、移動操作部Ｏの操作とトレイ４の移動との対応関係が把握しやすくなるためである。  
なお、トレイ４の移動方向Ａに沿う方向からのずれはあっても、トレイ４の移動方向Ａに沿うベクトル成分を有する方向に配置又は操作方向とするトレイ４の移動操作部Ｏを構成することによって、該移動操作部Ｏの操作を直感的に把握することができる。  
本実施例の移動操作部Ｏは、移動ボタンＯ１を押すと移動方向Ａのうちの媒体のセット位置側から記録開始位置側に向かう方向にトレイ４は移動し、移動ボタンＯ２を押すと移動方向Ａのうちの記録開始位置側から媒体のセット位置側に向かう方向にトレイ４は移動する構成である。
【００２５】
ここで、本実施例の移動操作部Ｏは、記録に関する各種操作を受け付ける操作パネル１９に構成されているが、このような構成に限定されない。しかしながら、移動操作部Ｏは、操作パネル１９近傍に配置されることが好ましい。  
ここで、「操作パネル１９近傍」とは、操作パネル１９を操作する位置にいるユーザーの手の届く範囲を意味し、本実施例のように、移動操作部Ｏが操作パネル１９に形成されている構成も含む意味である。  
このような構成であれば、ユーザーは操作パネル１９を操作する位置で簡単に移動操作部Ｏを操作することができる。
【００２６】
次に、本実施形態の記録装置１における電気的な構成について説明する。  
図５は、本実施例の記録装置１のブロック図である。  
制御部８には、記録装置１の全体の制御を司るＣＰＵ９が設けられている。ＣＰＵ９は、システムバス１０を介して、ＣＰＵ９が実行する各種制御プログラムやメンテナンスシーケンス等を格納したＲＯＭ１１と、データを一時的に格納可能なＲＡＭ１２と、に接続されている。
【００２７】
また、ＣＰＵ９は、システムバス１０を介して、記録ヘッド７を駆動するためのヘッド駆動部１３と接続されている。  
また、ＣＰＵ９は、システムバス１０を介して、モーター駆動部１７と接続されている。そして、モーター駆動部１７は、記録ヘッド７が設けられたキャリッジ６を移動させるためのキャリッジモーター１４、媒体を搬送するために媒体搬送部３に設けられた搬送モーター１５、と接続されている。  
さらに、ＣＰＵ９は、システムバス１０を介して、入出力部１８と接続されており、入出力部１８は、センサーＳ、操作パネル１９の操作ボタン２３及び移動操作部Ｏ（移動ボタンＯ１及びＯ２）、記録データ等のデータ及び信号の送受信を行うためのＰＣ２４と接続されている。
【００２８】
ここで、移動操作部Ｏ及び搬送モーター１５は、記録装置１の不図示の主電源と繋がる二次電池２２に接続されている。このため、記録装置１の主電源がオフになった状態においても、ユーザーは、移動操作部Ｏを操作することにより媒体支持ユニット２（トレイ４）を移動方向Ａにおける任意の位置に移動させることができる。
【００２９】
また、移動操作部Ｏは、制御部８の制御により、記録ヘッド７によって記録が実行されていないときに、移動方向Ａにおける任意の位置にトレイ４を移動させる移動操作を受け付けることができる構成になっている。このため、本実施例の記録装置１は、記録動作を妨げずに、トレイ４を任意の位置に移動することができる構成になっている。  
また、移動操作部Ｏは、記録ヘッド７によって記録が実行されているときに、移動操作を受け付けない構成になっている。このため、本実施例の記録装置１は、記録中に移動操作を受け付けることで記録動作が妨げられることを、抑制することができる構成になっている。
【００３０】
このような構成により本実施例の記録装置１は、二次電池２２が所定量充電された状態であれば、記録装置１の主電源がオフになった状態においても、トレイ４を移動方向Ａにおける任意の位置に移動させることができるが、このような構成に限定されない。  
また、例えば、タイマーを設け、記録装置１の主電源がオフになってから所定時間だけトレイ４を移動方向Ａにおける任意の位置に移動させることができる構成としてもよい。  
さらに、例えば、移動操作部Ｏ及び搬送モーター１５用に、主電源とは独立した別の電源を備える構成としてもよい。
【００３１】
次に、移動ボタンＯ１及びＯ２に基づくトレイ４の移動について説明する。  
図６は、移動ボタンＯ１及びＯ２の押時間に対するトレイ４の移動速度を表すグラフである。縦軸は、トレイ４の移動速度である。横軸は、移動操作の継続時間（移動ボタンＯ１及びＯ２の継続押時間）である。  
図６で表されるように、本実施例の記録装置１は、移動ボタンＯ１及びＯ２の継続押時間が所定の時間以上になると、トレイ４の移動速度が速くなる。別の表現をすると、本実施例の記録装置１は、移動操作部Ｏが受け付ける移動操作の継続時間に応じて、トレイ４の移動速度を変更可能に構成されている。  
ここで、「移動操作の継続時間」とは、移動操作部Ｏによりトレイ４を移動させる操作（移動指示）を継続して実行している時間（移動ボタンＯ１及びＯ２の継続押時間）を意味する。  
こうして、移動操作部Ｏとしての移動ボタンＯ１及びＯ２を長押しして移動操作における移動指示を継続して行った場合に、移動速度を速くして効率的にトレイ４を移動させることができる構成になっている。  
なお、本実施例の記録装置１においては、移動ボタンＯ１及びＯ２の押時間に対するトレイ４の移動速度は２段階で変更可能な構成であるが、このような構成に限定されず、例えば、３段階以上で変更可能な構成としてもよい。また、段階的に移動速度が変わる構成ではなく、継続時間の増加に伴って徐々にトレイ４が加速していく構成であってもよい。
【００３２】
［実施例２］（図７及び図８）  
次に、本発明の実施例２に係る記録装置について説明する。  
図７は、本発明の実施例２に係る記録装置１の概略斜視図であり、実施例１の記録装置１を表す図２に対応する図である。また、図８は、本発明の実施例２に係る記録装置１の要部である移動操作部形成部１６の概略斜視図である。なお、上記実施例１と共通する構成部材は同じ符号で示しており、詳細な説明は省略する。  
本実施例の記録装置１は、操作パネル１９に移動操作部Ｏが形成されておらず、代わりに、移動操作部形成部１６を備えているという構成のみが実施例１の記録装置１と相違する。
【００３３】
図７で表されるように、本実施例の移動操作部形成部１６は、媒体搬送部３の側面部分であって記録装置１の正面手前側に設けられている。別の表現をすると、本実施例の移動操作部形成部１６は、トレイ４への媒体のセット位置近傍に配置されている。  
ここで、「セット位置近傍」とは、媒体をトレイ４へセットするセット位置にいるユーザーの手の届く範囲を意味する。  
本実施例の記録装置１は、このような構成であるため、ユーザーは媒体のセット作業を行う位置で簡単に移動操作部Ｏを操作することができる。
【００３４】
なお、図８で表されるように、本実施例の移動操作部Ｏは、記録装置１を平面視した場合に視認可能な面に形成されるとともに、トレイ４の移動方向Ａに沿って操作方向Ｄに操作（移動）するレバーＯ３で構成されている。ここで、レバーＯ３を操作方向Ｄのうちの方向Ｄ１に移動させると移動方向Ａのうちの媒体のセット位置側から記録開始位置側に向かう方向にトレイ４は移動する。また、レバーＯ３を操作方向Ｄのうちの方向Ｄ２に移動させると移動方向Ａのうちの記録開始位置側から媒体のセット位置側に向かう方向にトレイ４は移動する。つまり、レバーＯ３を倒す方向と、トレイ４の移動する方向とが、平面視において一致することとなる。このため、ユーザーは移動操作部Ｏの操作を直感的に把握することができる構成になっている。
【００３５】
［実施例３］（図９）  
次に、本発明の実施例３に係る記録装置について説明する。  
図９は、本発明の実施例３に係る記録装置１の要部である移動操作部Ｏを有するリモートコントローラー２１の概略図である。なお、上記実施例１と共通する構成部材は同じ符号で示しており、詳細な説明は省略する。  
本実施例の記録装置１は、操作パネル１９に移動操作部Ｏが形成されておらず、代わりに、移動操作部Ｏを有するリモートコントローラー２１を備えているという構成のみが実施例１の記録装置１と相違する。
【００３６】
本実施例の記録装置１は、移動操作部Ｏを有するリモートコントローラー２１を備えている。このため、ユーザーは、リモートコントローラー２１により、記録装置１から離間した状態で、移動方向Ａにおける任意の位置にトレイ４を移動させる移動操作を実行することができる。別の表現をすると、移動操作部Ｏは、記録装置１から離間した状態で移動操作を受け付け可能である。  
このため、ユーザーは記録装置１から離間した位置で簡単に移動操作部Ｏを操作することができる。  
なお、本実施例のリモートコントローラー２１は、無線で移動操作を受け付け可能な構成であるが、有線で移動操作を受け付け可能な構成であってもよい。
【００３７】
ここで、本実施例の移動操作部Ｏは、移動ボタンＯ４及びＯ５で構成されている。そして、移動ボタンＯ４を押すと移動方向Ａのうちの媒体のセット位置側から記録開始位置側に向かう方向にトレイ４は移動し、移動ボタンＯ５を押すと移動方向Ａのうちの記録開始位置側から媒体のセット位置側に向かう方向にトレイ４は移動する。
【００３８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３９】
本発明の第１の態様の記録装置１は、媒体に記録を実行可能な記録部７と、媒体を支持し、移動方向Ａに移動可能な支持部４と、移動方向Ａにおける任意の位置に支持部４を移動させる移動操作を受け付ける移動操作部Ｏと、を備えることを特徴とする。
【００４０】
本態様によれば、移動方向Ａにおける任意の位置に支持部４を移動させる移動操作を受け付ける移動操作部Ｏを備える。このため、移動操作部Ｏを操作することにより、支持部４を任意の位置に簡単に移動することができる。
【００４１】
本発明の第２の態様の記録装置１は、第１の態様において、移動操作部Ｏは、記録部７によって記録が実行されていないときに、移動操作を受け付けることを特徴とする。
【００４２】
本態様によれば、移動操作部Ｏは、記録部７によって記録が実行されていないときに、移動操作を受け付ける。このため、記録動作を妨げずに、支持部４を任意の位置に移動することができる。
【００４３】
本発明の第３の態様の記録装置１は、第１又は第２の態様において、移動操作部Ｏは、記録部７によって記録が実行されているときに、移動操作を受け付けないことを特徴とする。
【００４４】
本態様によれば、移動操作部Ｏは、記録部７によって記録が実行されているときに、移動操作を受け付けない。このため、記録中に移動操作を受け付けることで記録動作が妨げられることを、抑制することができる。
【００４５】
本発明の第４の態様の記録装置１は、第１から第３のいずれか１つの態様において、移動操作部Ｏが受け付ける移動操作の継続時間に応じて、支持部７の移動速度を変更可能であることを特徴とする。
【００４６】
ここで、「移動操作の継続時間」とは、移動操作部Ｏにより支持部４を移動させる操作（移動指示）を継続して実行している時間を意味する。  
本態様によれば、移動操作部Ｏが受け付ける移動操作の継続時間に応じて、支持部４の移動速度を変更可能である。例えば、移動操作部Ｏとしての移動ボタンＯ１及びＯ２の長押しなど移動操作における移動指示を継続して行った場合に、移動速度を速くして効率的に支持部４を移動させることができる。
【００４７】
本発明の第５の態様の記録装置１は、第１から第４のいずれか１つの態様において、移動操作部Ｏは、記録装置１を平面視した場合に、視認可能な面に形成されることを特徴とする。
【００４８】
本態様によれば、移動操作部Ｏは、記録装置１を平面視した場合に、視認可能な面に形成される。このため、移動操作を簡単に実行できる。また、例えば、支持部４の移動方向Ａに沿う配置に形成されるボタンＯ１及びＯ２や支持部４の移動方向Ａに沿って操作（移動）するレバーＯ３などで該視認可能な面に該移動操作部Ｏを構成することによって、該移動操作部Ｏの操作を直感的に把握することができる。
【００４９】
本発明の第６の態様の記録装置１は、第１から第５のいずれか１つの態様において、記録に関する各種操作を受け付ける操作パネル１９を備え、移動操作部Ｏは、操作パネル１９近傍に配置されることを特徴とする。
【００５０】
ここで、「操作パネル１９近傍」とは、操作パネル１９を操作する位置にいるユーザーの手の届く範囲を意味し、移動操作部Ｏが操作パネル１９に形成されている構成も含む意味である。  
本態様によれば、記録に関する各種操作を受け付ける操作パネル１９を備え、移動操作部Ｏは操作パネル１９近傍に配置される。このため、ユーザーは操作パネル１９を操作する位置で簡単に移動操作部Ｏを操作することができる。
【００５１】
本発明の第７の態様の記録装置１は、第１から第６のいずれか１つの態様において、移動操作部Ｏは、支持部４への媒体のセット位置近傍に配置されることを特徴とする。
【００５２】
ここで、「セット位置近傍」とは、媒体を支持部４へセットするセット位置にいるユーザーの手の届く範囲を意味する。  
本態様によれば、移動操作部Ｏは、支持部４への媒体のセット位置近傍に配置される。このため、ユーザーは媒体のセット作業を行う位置で簡単に移動操作部Ｏを操作することができる。
【００５３】
本発明の第８の態様の記録装置１は、第１から第４のいずれか１つの態様において、移動操作部Ｏは、記録装置１から離間した状態で移動操作を受け付け可能であることを特徴とする。
【００５４】
ここで、「記録装置１から離間した状態で移動操作を受け付け可能」とは、記録装置１から離間した状態で移動操作を受け付け可能であれば、無線で移動操作を受け付け可能な構成のほか有線で移動操作を受け付け可能な構成も含む意味である。  
本態様によれば、移動操作部Ｏは、記録装置１から離間した状態で移動操作を受け付け可能である。このため、ユーザーは記録装置１から離間した位置で簡単に移動操作部Ｏを操作することができる。
【００５５】
本発明の第９の態様の移動方法は、媒体に記録を実行可能な記録部７と、媒体を支持し、移動方向Ａに移動可能な支持部４と、を備える記録装置１における支持部４の移動方法であって、移動操作部Ｏによって、移動方向Ａにおける任意の位置に支持部４を移動させることを特徴とする。
【００５６】
本態様によれば、移動操作部Ｏによって、移動方向Ａにおける任意の位置に支持部４を移動させる。このため、移動操作部Ｏを操作することにより、支持部４を任意の位置に簡単に移動することができる。
【符号の説明】
【００５７】
１  記録装置、２  媒体支持ユニット、３  媒体搬送部、４  トレイ（支持部）、
５  ステージ、６  キャリッジ、７  記録ヘッド（記録部）、８  制御部、９  ＣＰＵ、
１０  システムバス、１１  ＲＯＭ、１２  ＲＡＭ、１３  ヘッド駆動部、
１４  キャリッジモーター、１５  搬送モーター、１６  移動操作部形成部、
１７  モーター駆動部、１８  入出力部、１９  操作パネル、２０  回転レバー、
２１  リモートコントローラー、  ２２  二次電池、２３  操作ボタン、
２３ａ  電源のオン・オフボタン、２３ｂ  各種指示入力ボタン２３ｂ、２４  ＰＣ、
Ｏ  移動操作部、Ｏ１  移動ボタン、Ｏ２  移動ボタン、Ｏ３  レバー、
Ｏ４  移動ボタン、Ｏ５  移動ボタン、Ｓ  センサー、  Ｓｅ  発光部、Ｓｒ  受光部
【図１】
0006519197.tif 000002
【図２】
0006519197.tif 000003
【図３】
0006519197.tif 000004
【図４】
0006519197.tif 000005
【図５】
0006519197.tif 000006
【図６】
0006519197.tif 000007
【図７】
0006519197.tif 000008
【図８】
0006519197.tif 000009
【図９】
0006519197.tif 000010